(57)【要約】      （修正有）【課題】マイクロフォン・サウンドボックス一体型装置を提供する。【解決手段】マイクロフォンとサウンドボックスを備え、サウンドボックスはスピーカー５００を収納するためのサウンドチャンバー４００を備え、マイクロフォンの底部とサウンドチャンバー４００の頂部の間に固定接続されており、サウンドボックスによって生成された音声振動が固体構造部品を介してマイクロフォンに伝達されることを防止するために用いられる可撓性材料接続部１００をさらに備える。本考案の効果は、可撓性材料接続部をマイクロフォンの底部とサウンドチャンバーの頂部に固定接続するとともに、ＰＣＢパネル３００の底部とサウンドチャンバーの頂部との間にギャップを残しておき、可撓性材料接続部は音声振動を効果的に低減することができるので、サウンドボックスからマイクロフォンに伝達される振動を効果的に除去し、共鳴音の発生を防止することができ、最終にマイクロフォンとサウンドボックスを一体化してカラオケは可能になる。【選択図】図１
0003213496.tif 000002
【実用新案登録請求の範囲】
【請求項１】
マイクロフォンとサウンドボックスを備え、前記サウンドボックスはスピーカー（５００）を収納するためのサウンドチャンバー（４００）を備えるマイクロフォン・サウンドボックス一体型装置であって、
前記マイクロフォンの底部と前記サウンドチャンバー（４００）の頂部の間に固定接続されており、前記サウンドボックスによって生成された音声振動が固体構造部品を介して前記マイクロフォンに伝達されることを防止するために用いられる可撓性材料接続部（１００）をさらに備えることを特徴とするマイクロフォン・サウンドボックス一体型装置。
【請求項２】
前記マイクロフォン・サウンドボックス一体型装置は、前記可撓性材料接続部（１００）の頂部を貫通して前記マイクロフォンの底部に固定接続されるプラスチック部品（２００）と、前記プラスチック部品（２００）によって固定接続されるＰＣＢパネル（３００）と、をさらに備え、前記ＰＣＢパネル（３００）と前記サウンドチャンバー（４００）の頂部との間にギャップを残しておくことを特徴とする請求項１に記載のマイクロフォン・サウンドボックス一体型装置。
【請求項３】
前記可撓性材料接続部（１００）の側壁には第一開口及び第二開口が開設され、前記ＰＣＢパネル（３００）には第一ポート（３０１）及び第二ポート（３０２）が設置され、前記第一ポート（３０１）及び前記第二ポート（３０２）は別々に前記第一開口及び前記第二開口に係合することを特徴とする請求項２に記載のマイクロフォン・サウンドボックス一体型装置。 
【請求項４】
前記サウンドボックスは、前記スピーカー（５００）の底部に順番に固定接続されるシリコンリング（６００）、プラスチックリング（７００）及びトランペット型メッシュ（８００）をさらに備え、前記スピーカー（５００）の底部と前記サウンドチャンバー（４００）の底部は同じ平面にあることを特徴とする請求項２に記載のマイクロフォン・サウンドボックス一体型装置。
【請求項５】
前記ＰＣＢパネル（３００）と前記サウンドチャンバー（４００）の頂部との間の間隔は４ｍｍより大きいことを特徴とする請求項２に記載のマイクロフォン・サウンドボックス一体型装置。
【請求項６】
前記マイクロフォンの内部には回路基板が取り付けられ、前記回路基板にはブルートゥースモジュールが設置されることを特徴とする請求項１に記載のマイクロフォン・サウンドボックス一体型装置。
【請求項７】
前記可撓性材料接続部（１００）はシリコンであることを特徴とする請求項１に記載のマイクロフォン・サウンドボックス一体型装置。
【請求項８】
前記可撓性材料接続部（１００）はゴム、ＴＰＵ又はソフトプラスチックの中のいずれか一種であることを特徴とする請求項１に記載のマイクロフォン・サウンドボックス一体型装置。
【請求項９】
前記可撓性材料接続部（１００）の底部はねじ山又はねじによって前記サウンドチャンバー（４００）の頂部に接続されることを特徴とする請求項１に記載のマイクロフォン・サウンドボックス一体型装置。
【請求項１０】
前記可撓性材料接続部（１００）の底部は前記サウンドチャンバー（４００）の頂部に粘着されることを特徴とする請求項１に記載のマイクロフォン・サウンドボックス一体型装置。
【考案の詳細な説明】
【技術分野】
【０００１】
本考案は、オーディオ再生領域に関するものであって、特にマイクロフォン・サウンドボックス一体型装置に関するものである。
【背景技術】
【０００２】
カラオケは広く応用され、且つカラオケ技術も成熟するが、携帯型簡素化装置は少なく、個体化のカラオケ製品はさらに少ないので、専門場所又は固定場所で使用するしかなく、非常に不便である。既存のいろいろなマイクロフォンにとって、カラオケ残響機能（ｋａｒａｏｋｅ ｒｅｖｅｒｂｅｒａｔｉｏｎ ｆｕｎｃｔｉｏｎ）を有するマイクロフォン技術は成熟し、広く使用されているが、通常、単一のマイクロフォン製品として外部のサウンドボックス（ｓｏｕｎｄ ｂｏｘ）又は他の装置に接続して使用することを必要とする。サウンドボックスは音声にしたがって音声周波数と同じ振動を生成するので、マイクロフォンとサウンドボックスが一体化されるか又は緊密に近付く場合、マイクロフォンから入力する音声はサウンドボックスによって増幅されてからハウジングを介してマイクロフォンに伝達される。次に、マイクロフォンは同じ周波数の音声を再び入力し、且つ再び増幅され、このように何度も繰り返して増幅してから強烈な自己フィードバック効果を発生することがあり、即ち自励効果を発生することがある。この時、サウンドボックスは絶えずに強化される同じ周波数の音声（共鳴音（ｓｑｕｅａｌ）と呼ばれる）を出して、正常の使用を完全に破壊する。
【０００３】
もちろん音声の周波数に対して変換処理を行うように設計されるものもあり、入力する音声の周波数又は周波数位相が出力する音声の周波数又は周波数位相（ｆｒｅｑｕｅｎｃｙ ｐｈａｓｅ）と異なるようにして、共鳴音の発生を免れ、又は実際に運用するか又は計算することにより、特定の周波数を除去して、共鳴音の発生を免れる。しかし、これらの方法は音をひどく変形させて、優れる音質要求に達することはできない。  
【０００４】
したがって、音質を改変せず又は音質を高めるということのもとにマイクロフォンとサウンドボックスを一体化させて、携帯型簡素化装置とし、直接なカラオケ効果を有し、いつでもどこでも歌を歌うことができ、音楽がもたらす楽しみを楽しむことは、多くの人の夢となっている。
【考案の概要】
【考案が解決しようとする課題】
【０００５】
本考案の目的は、マイクロフォン・サウンドボックス一体型装置を提供して、従来の技術におけるマイクロフォンとサウンドボックスが一体になる場合に強烈な自己フィードバック効果が発生して正常の使用を完全に破壊する欠点を解決する。
【課題を解決するための手段】
【０００６】
本考案に係るマイクロフォン・サウンドボックス一体型装置は、マイクロフォンとサウンドボックスを備え、前記サウンドボックスはスピーカーを収納するためのサウンドチャンバーを備え、前記マイクロフォンの底部と前記サウンドチャンバーの頂部の間に固定接続されており、前記サウンドボックスによって生成された音声振動が固体構造部品を介して前記マイクロフォンに伝達されることを防止するために用いられる可撓性材料接続部をさらに備える。
【０００７】
前記マイクロフォン・サウンドボックス一体型装置において、前記マイクロフォン・サウンドボックス一体型装置は、前記可撓性材料接続部の頂部を貫通して前記マイクロフォンの底部に固定接続されるプラスチック部品と、前記プラスチック部品によって固定接続されるＰＣＢパネルと、をさらに備え、前記ＰＣＢパネルと前記サウンドチャンバーの頂部との間にギャップを残しておく。
【０００８】
前記マイクロフォン・サウンドボックス一体型装置において、前記可撓性材料接続部の側壁には第一開口及び第二開口が開設され、前記ＰＣＢパネルには第一ポート及び第二ポートが設置され、前記第一ポート及び前記第二ポートは別々に前記第一開口及び前記第二開口に係合する。
【０００９】
前記マイクロフォン・サウンドボックス一体型装置において、前記サウンドボックスは前記スピーカーの底部に順番に固定接続されるシリコンリング、プラスチックリング及びトランペット型メッシュをさらに備え、前記スピーカーの底部と前記サウンドチャンバーの底部は同じ平面にある。
【００１０】
前記マイクロフォン・サウンドボックス一体型装置において、前記ＰＣＢパネルと前記サウンドチャンバーの頂部との間の間隔は４ｍｍより大きい。
【００１１】
前記マイクロフォン・サウンドボックス一体型装置において、前記マイクロフォンの内部には回路基板が取り付けられ、前記回路基板にはブルートゥース(登録商標)モジュールが設置される。
【００１２】
前記マイクロフォン・サウンドボックス一体型装置において、前記可撓性材料接続部はシリコンである。
【００１３】
前記マイクロフォン・サウンドボックス一体型装置において、前記可撓性材料接続部はゴム、ＴＰＵ又はソフトプラスチックの中のいずれか一種である。
【００１４】
前記マイクロフォン・サウンドボックス一体型装置において、前記可撓性材料接続部の底部はねじ山又はねじによって前記サウンドチャンバーの頂部に接続される。
【００１５】
前記マイクロフォン・サウンドボックス一体型装置において、前記可撓性材料接続部の底部は前記サウンドチャンバーの頂部に粘着される。
【考案の効果】
【００１６】
従来の技術に比べて、本考案のマイクロフォン・サウンドボックス一体型装置は、プラスチック部品によって可撓性材料接続部の頂部をマイクロフォンの底部に固定接続し且つ可撓性材料接続部の底部をサウンドチャンバーの頂部に固定し、且つプラスチック部品によって固定接続されたＰＣＢパネルの底部とサウンドチャンバーの頂部との間にギャップを残しておく。人が大きい声で歌うとき、可撓性材料接続部はサウンドボックスからマイクロフォンに伝達される振動を効果的に除去することができるので、サウンドボックスによって生成される音声振動は固体構造部品によってマイクロフォンに伝導されなく、最後にマイクロフォンのピックアップに正常に伝達することができず、自己フィードバック効果の生成を根本から除去し、共鳴音を効果的に抑制する。本考案のマイクロフォン・サウンドボックス一体型装置は、場所と多くの設備の限定を受けることなく、いつでもどこでもカラオケを歌うことができ、室外又は室内、旅行しているところ又は山頂に係わらず、いつでも大きい声で歌いながら友達と遊ぶことができる。現在、携帯電話はなければならないものであり、本考案のマイクロフォン・サウンドボックス一体型装置のブルートゥース機能をスタートすると、携帯電話と無線ブルートゥース接続を確立することができ、携帯電話から放送される音楽で伴奏して、本物のカラオケの効果を実現することができる。
【図面の簡単な説明】
【００１７】
【図１】本考案のマイクロフォン・サウンドボックス一体型装置の分解図である。
【図２】本考案のマイクロフォン・サウンドボックス一体型装置の組立図である。
【図３】本考案のマイクロフォン・サウンドボックス一体型装置の回路ブロック図である。
【考案を実施するための形態】
【００１８】
以下、本考案の目的、特徴、利点について、図面を参照しながら詳細に説明を行う。  
【００１９】
図１は、本考案のマイクロフォン・サウンドボックス一体型装置の分解図である。マイクロフォン・サウンドボックス一体型装置はマイクロフォンとサウンドボックス（ｓｏｕｎｄ ｂｏｘ）を備え、サウンドボックスはスピーカー５００を収納するためのサウンドチャンバー（ｓｏｕｎｄ ｃｈａｍｂｅｒ）４００を備える。特に、マイクロフォン・サウンドボックス一体型装置は可撓性材料接続部１００を備える。図１に示されたように、可撓性材料接続部１００は、閉じた頂部及び開口底部を有する円筒状であり、直径は上から下に至ってだんだん大きくなり、マイクロフォンの底部とサウンドチャンバーの頂部の間に固定接続されて、サウンドボックスによって生成された音声振動が固体構造部品を介してマイクロフォンに伝達されることを防止するために用いられる。マイクロフォン・サウンドボックス一体型装置は、プラスチック部品２００及びＰＣＢパネル３００を備える。プラスチック部品２００は、主に固定作用を発揮する。プラスチック部品２００の頂部及び底部にはそれぞれ少なくとも１つの突起が設けられ、例えば、図１に示されたように、プラスチック部品２００の頂部には１つの突起２０１が設けられ、プラスチック部品２００の底部には２つの突起２０２、２０１が設けられる。頂部突起２０１は可撓性材料接続部１００の頂部（即ちマイクロフォンに接続される端部である）を貫通し、ねじ山又はねじによって可撓性材料接続部１００の頂部をマイクロフォンの底部に固定する。可撓性材料接続部１００の頂部には複数の穴が開設され、プラスチック部品の頂部突起２０１はその穴を通り抜けてマイクロフォンの底部に接続される。
【００２０】
ＰＣＢパネル３００もプラスチック部品２００によって固定接続され、ＰＣＢパネル３００とサウンドチャンバーの頂部との間には既定のギャップを残しておく。具体的には、ＰＣＢパネル３００はプラスチック部品２００の底部突起を介してねじ山又はねじによってプラスチック部品２００の底部に固定される。本実施例において、ＰＣＢパネル３００には第一ポート３０１及び第二ポート３０２が設置されるが、ポートの数量は限定されない。第一ポート３０１は充電/オーディオ入力/オーディオ出力ポートであり、第二ポート３０２はオーディオ出力ポートである。可撓性材料接続部１００の側壁には２つの開口が開設されており（図示せず）、それぞれ第一開口と第二開口であり、第一ポート３０１及び第二ポート３０２は別々に第一開口及び第二開口に係合する。このようにすると、従来の技術のように２つのポートをマイクロフォン底部の開口に係合することを免れて、より美しい外観を実現することができる。
【００２１】
可撓性材料接続部１００はシリコンであることが好ましい。シリコンは硬度が低いので、振動を効果的に低減することができる。ゴム、熱可塑性ポリウレタン（ＴＰＵ）又はソフトプラスチックなどのような他の可撓性材料を選択することもでき、硬度は約８０又はその以下である。硬度が低く、振動を効果的に低減しさえすれば、可撓性材料接続部１００の材料を特別に限定しない。
【００２２】
可撓性材料接続部１００の底部は、好ましくはねじ山又はねじによってサウンドチャンバー４００の頂部に接続され、直接に貼り付けるか又は接着剤を採用してサウンドチャンバー２００の頂部に粘着することもできる。可撓性材料接続部をサウンドチャンバーの頂部に固定接続しさえすれば、接続方式を限定しない。可撓性材料接続部とサウンドチャンバーの頂部の接続は辺縁部分の接続を指し、ＰＣＢパネルの底部とサウンドチャンバーの頂部との間にはギャップを残しておくことを必要として、両者の間の距離は好ましくは４ｍｍ−５ｍｍ以上であり、両者の間の距離が近すぎると、振動を効果的に低減することはできない。
【００２３】
サウンドボックスはシリコンリング６００、プラスチックリング７００及びトランペット型メッシュ８００をさらに備え、シリコンリング６００、プラスチックリング７００及びトランペット型メッシュ８００はスピーカー５００の底部に順番に固定接続され、スピーカー５００の底部とサウンドチャンバー２００の底部は同じ平面にある。図２は、マイクロフォン・サウンドボックス一体型装置の組立図である。プラスチックリング７００及びシリコンリング６００はねじ山又はねじによってスピーカー５００の底部に装着されて、サウンドチャンバー２００を密封する。トランペット型メッシュ８００は外界塵埃を阻み、スピーカー５００からの音声を通らせる。シリコンリング６００もシリコンのような硬度が低い可撓性材料を採用し、もちろんゴム、ＴＰＵ又はソフトプラスチックなどの他の可撓性材料を採用することもでき、従ってこの部分がデスクトップ又は地面などのような固体構造部品と接触する時にサウンドチャンバーによって生成される音声振動を低減することができる。
【００２４】
可撓性材料接続部１００をマイクロフォンの底部とサウンドチャンバー４００の頂部との間に固定接続するとともに、ＰＣＢパネル３００の底部とサウンドチャンバー２００の頂部の間にギャップを残しておく。可撓性材料接続部３００は音声の振動を効果的に低減することができる。ＰＣＢパネル３００とサウンドチャンバー４００は接触しなく、両者の間にギャップを残しておくので、サウンドボックスによって生成される音声振動が上部へ伝送されることを免れることができる。ＰＣＢパネル３００の底部とサウンドチャンバー４００の頂部との間にギャップを残しておくとともに、サウンドチャンバー４００の頂部は可撓性材料接続部によってマイクロフォンの底部に固定接続されるので、人が大きい声で歌うときにサウンドボックスからマイクロフォンに伝達される振動を効果的に除去することができ、サウンドボックスによって生成される音声振動は固体構造部品によってマイクロフォンのピックアップ（ｐｉｃｋｕｐ）に伝達されなく、共鳴音を効果的に抑制することができる。
【００２５】
好ましくは、マイクロフォン内部の回路基板には、携帯電話などのようなブルートゥース通信機器と無線ブルートゥース通信接続を行うためのブルートゥースモジュールが設置される。図３は、マイクロフォン・サウンドボックス一体型装置の回路ブロック図である。マイクロフォンのピックアップから音声が入力されると、音声はコンデンサーマイクロフォンに入り、マイクロフォン音声残響処理(ｍｉｃｒｏｐｈｏｎｅ ｓｏｕｎｄ ｒｅｖｅｒｂｅｒａｔｉｏｎ ｐｒｏｃｅｓｓ）経てから３つのユニットに出力し、即ちイヤホンパワー増幅ユニット、スピーカーパワー増幅ユニット、出力録音信号処理ユニットに出力する。その後、スピーカーオン/オフ制御によってスピーカーがオン状態にあると、マイクロフォン信号はスピーカーパワー増幅されてからスピーカーに出力する。マイクロフォン・サウンドボックス一体型装置のブルートゥース機能を使用する場合、マイクロフォンのブルートゥースモジュール（図３に示されたブルートゥースアンテナ及びブルートゥースコンポーネントを備える）をオンにして、携帯電話のようなモバイル通信装置と無線ブルートゥース通信接続を確立し、携帯電話で放送される音声はブルートゥースモジュールのブルートゥースコンポーネントを経て左右チャネルに入ってミキシング（ｍｉｘｉｎｇ）された後、スピーカーオン/オフ制御によってスピーカーがオン状態にある時、人の声とともにスピーカーパワー増幅されてからスピーカーに出力する。外部装置がブルートゥースで接続されていない場合、有線方式でＭＩＣＲＯ  ＵＳＢポートから外部音楽を入力し、スピーカーパワー増幅されてから、人の声とともにスピーカーに出力する。 
【００２６】
また、可撓性材料接続部の側壁の第一開口に第一ポート（充電/オーディオ入力/オーディオ出力ポートであり、即ち図３に示されたＭＩＣＲＯ  ＵＳＢポートである）を係合することにより、マイクロフォンのバッテリー及びブルートゥースモジュールなどの電力供給を必要とするモジュールに対して電力を供給する一方、携帯電話などのような外部装置に接続されて音楽を放送することができる。
【００２７】
上述したように、本考案のマイクロフォン・サウンドボックス一体型装置は、プラスチック部品によって可撓性材料接続部の頂部をマイクロフォンの底部に固定接続し且つ可撓性材料接続部の底部をサウンドチャンバーの頂部に固定し、且つプラスチック部品によって固定接続されたＰＣＢパネルの底部とサウンドチャンバーの頂部との間にギャップを残しておく。人が大きい声で歌うとき、可撓性材料接続部はサウンドボックスからマイクロフォンに伝達される振動を効果的に除去することができるので、サウンドボックスによって生成される音声振動は固体構造部品によってマイクロフォンに伝達されなく、最後にマイクロフォンのピックアップに正常に伝達することができず、自己フィードバック効果の生成を根本から除去し、共鳴音を効果的に抑制する。
【００２８】
本考案のマイクロフォン・サウンドボックス一体型装置は、場所と多くの設備の限定を受けることなく、いつでもどこでもカラオケを歌うことができ、室外又は室内、旅行しているところ又は山頂に係わらず、いつでも大きい声で歌いながら友達と遊ぶことができる。現在、携帯電話はなければならないものであり、本考案のマイクロフォン・サウンドボックス一体型装置のブルートゥース機能をスタートすると、携帯電話と無線ブルートゥース接続を確立することができ、携帯電話から放送される音楽で伴奏して、本物のカラオケの効果を実現した。  
【００２９】
以上本考案を実施例に基づいて具体的に説明したが、本考案は、上述の実施例に限定されるものではなく、その要旨を逸脱しない範囲において、種種変更可能であることは勿論であって、本考案の保護範囲は、以下の特許請求の範囲から決まる。
【符号の説明】
【００３０】
１００  可撓性材料接続部
２００  プラスチック部品
２０１，２０２，２０３  突起
３００  ＰＣＢパネル
３０１  第一ポート
３０２  第二ポート
４００  サウンドチャンバー
５００  スピーカー
６００  シリコンリング
７００  プラスチックリング
８００  トランペット型メッシュ
【図１】
0003213496.tif 000003
【図２】
0003213496.tif 000004
【図３】
0003213496.tif 000005
【手続補正書】
【提出日】平成29年6月5日(2017.6.5)
【手続補正１】
【補正対象書類名】実用新案登録請求の範囲
【補正対象項目名】全文
【補正方法】変更
【補正の内容】
【実用新案登録請求の範囲】
【請求項１】
マイクロフォンとサウンドボックスを備え、前記サウンドボックスはスピーカー（５００）を収納するためのサウンドチャンバー（４００）を備えるマイクロフォン・サウンドボックス一体型装置であって、
前記マイクロフォンの底部と前記サウンドチャンバー（４００）の頂部の間に固定接続されており、前記サウンドボックスによって生成された音声振動が固体構造部品を介して前記マイクロフォンに伝達されることを防止するために用いられる可撓性材料接続部（１００）をさらに備えることを特徴とするマイクロフォン・サウンドボックス一体型装置。
【請求項２】
前記マイクロフォン・サウンドボックス一体型装置は、前記可撓性材料接続部（１００）の頂部を貫通して前記マイクロフォンの底部に固定接続されるプラスチック部品（２００）と、前記プラスチック部品（２００）によって固定接続されるＰＣＢパネル（３００）と、をさらに備え、前記ＰＣＢパネル（３００）と前記サウンドチャンバー（４００）の頂部との間にギャップを残しておくことを特徴とする請求項１に記載のマイクロフォン・サウンドボックス一体型装置。
【請求項３】
前記可撓性材料接続部（１００）の側壁には第一開口及び第二開口が開設され、前記ＰＣＢパネル（３００）には第一ポート（３０１）及び第二ポート（３０２）が設置され、前記第一ポート（３０１）及び前記第二ポート（３０２）は別々に前記第一開口及び前記第二開口に係合することを特徴とする請求項２に記載のマイクロフォン・サウンドボックス一体型装置。 
【請求項４】
前記サウンドボックスは、前記スピーカー（５００）の底部に順番に固定接続されるシリコンリング（６００）、プラスチックリング（７００）及びトランペット型メッシュ（８００）をさらに備え、前記スピーカー（５００）の底部と前記サウンドチャンバー（４００）の底部は同じ平面にあることを特徴とする請求項２に記載のマイクロフォン・サウンドボックス一体型装置。
【請求項５】
前記ＰＣＢパネル（３００）と前記サウンドチャンバー（４００）の頂部との間の間隔は４ｍｍより大きいことを特徴とする請求項２に記載のマイクロフォン・サウンドボックス一体型装置。
【請求項６】
前記マイクロフォンの内部には回路基板が取り付けられ、前記回路基板にはブルートゥースモジュールが設置されることを特徴とする請求項１に記載のマイクロフォン・サウンドボックス一体型装置。
【請求項７】
前記可撓性材料接続部（１００）の材料はシリコンであることを特徴とする請求項１に記載のマイクロフォン・サウンドボックス一体型装置。
【請求項８】
前記可撓性材料接続部（１００）の材料はゴム、ＴＰＵ又はソフトプラスチックの中のいずれか一種であることを特徴とする請求項１に記載のマイクロフォン・サウンドボックス一体型装置。
【請求項９】
前記可撓性材料接続部（１００）の底部はねじ山又はねじによって前記サウンドチャンバー（４００）の頂部に接続されることを特徴とする請求項１に記載のマイクロフォン・サウンドボックス一体型装置。
【請求項１０】
前記可撓性材料接続部（１００）の底部は前記サウンドチャンバー（４００）の頂部に粘着されることを特徴とする請求項１に記載のマイクロフォン・サウンドボックス一体型装置。
【手続補正２】
【補正対象書類名】明細書
【補正対象項目名】００１２
【補正方法】変更
【補正の内容】
【００１２】
前記マイクロフォン・サウンドボックス一体型装置において、前記可撓性材料接続部の材料はシリコンである。
【手続補正３】
【補正対象書類名】明細書
【補正対象項目名】００１３
【補正方法】変更
【補正の内容】
【００１３】
前記マイクロフォン・サウンドボックス一体型装置において、前記可撓性材料接続部の材料はゴム、ＴＰＵ又はソフトプラスチックの中のいずれか一種である。
【手続補正４】
【補正対象書類名】明細書
【補正対象項目名】００１９
【補正方法】変更
【補正の内容】
【００１９】
図１は、本考案のマイクロフォン・サウンドボックス一体型装置の分解図である。マイクロフォン・サウンドボックス一体型装置はマイクロフォンとサウンドボックス（ｓｏｕｎｄ ｂｏｘ）を備え、サウンドボックスはスピーカー５００を収納するためのサウンドチャンバー（ｓｏｕｎｄ ｃｈａｍｂｅｒ）４００を備える。特に、マイクロフォン・サウンドボックス一体型装置は可撓性材料接続部１００を備える。図１に示されたように、可撓性材料接続部１００は、閉じた頂部及び開口底部を有する円筒状であり、直径は上から下に至ってだんだん大きくなり、マイクロフォンの底部とサウンドチャンバー４００の頂部の間に固定接続されて、サウンドボックスによって生成された音声振動が固体構造部品を介してマイクロフォンに伝達されることを防止するために用いられる。マイクロフォン・サウンドボックス一体型装置は、プラスチック部品２００及びＰＣＢパネル３００を備える。プラスチック部品２００は、主に固定作用を発揮する。プラスチック部品２００の頂部及び底部にはそれぞれ少なくとも１つの突起が設けられ、例えば、図１に示されたように、プラスチック部品２００の頂部には１つの突起２０１が設けられ、プラスチック部品２００の底部には２つの突起２０２、２０３が設けられる。頂部突起２０１は可撓性材料接続部１００の頂部（即ちマイクロフォンに接続される端部である）を貫通し、ねじ山又はねじによって可撓性材料接続部１００の頂部をマイクロフォンの底部に固定する。可撓性材料接続部１００の頂部には複数の穴が開設され、プラスチック部品２００の頂部突起２０１はその穴を通り抜けてマイクロフォンの底部に接続される。
【手続補正５】
【補正対象書類名】明細書
【補正対象項目名】００２０
【補正方法】変更
【補正の内容】
【００２０】
ＰＣＢパネル３００もプラスチック部品２００によって固定接続され、ＰＣＢパネル３００とサウンドチャンバー４００の頂部との間には既定のギャップを残しておく。具体的には、ＰＣＢパネル３００はプラスチック部品２００の底部突起を介してねじ山又はねじによってプラスチック部品２００の底部に固定される。本実施例において、ＰＣＢパネル３００には第一ポート３０１及び第二ポート３０２が設置されるが、ポートの数量は限定されない。第一ポート３０１は充電/オーディオ入力/オーディオ出力ポートであり、第二ポート３０２はオーディオ出力ポートである。可撓性材料接続部１００の側壁には２つの開口が開設されており（図示せず）、それぞれ第一開口と第二開口であり、第一ポート３０１及び第二ポート３０２は別々に第一開口及び第二開口に係合する。このようにすると、従来の技術のように２つのポートをマイクロフォン底部の開口に係合することを免れて、より美しい外観を実現することができる。
【手続補正６】
【補正対象書類名】明細書
【補正対象項目名】００２１
【補正方法】変更
【補正の内容】
【００２１】
可撓性材料接続部１００の材料はシリコンであることが好ましい。シリコンは硬度が低いので、振動を効果的に低減することができる。ゴム、熱可塑性ポリウレタン（ＴＰＵ）又はソフトプラスチックなどのような他の可撓性材料を選択することもでき、硬度は約８０又はその以下である。硬度が低く、振動を効果的に低減しさえすれば、可撓性材料接続部１００の材料を特別に限定しない。
【手続補正７】
【補正対象書類名】明細書
【補正対象項目名】００２２
【補正方法】変更
【補正の内容】
【００２２】
可撓性材料接続部１００の底部は、好ましくはねじ山又はねじによってサウンドチャンバー４００の頂部に接続され、直接に貼り付けるか又は接着剤を採用してサウンドチャンバー４００の頂部に粘着することもできる。可撓性材料接続部１００をサウンドチャンバー４００の頂部に固定接続しさえすれば、接続方式を限定しない。可撓性材料接続部１００とサウンドチャンバー４００の頂部の接続は辺縁部分の接続を指し、ＰＣＢパネル３００の底部とサウンドチャンバー４００の頂部との間にはギャップを残しておくことを必要として、両者の間の距離は好ましくは４ｍｍ−５ｍｍ以上であり、両者の間の距離が近すぎると、振動を効果的に低減することはできない。
【手続補正８】
【補正対象書類名】明細書
【補正対象項目名】００２３
【補正方法】変更
【補正の内容】
【００２３】
サウンドボックスはシリコンリング６００、プラスチックリング７００及びトランペット型メッシュ８００をさらに備え、シリコンリング６００、プラスチックリング７００及びトランペット型メッシュ８００はスピーカー５００の底部に順番に固定接続され、スピーカー５００の底部とサウンドチャンバー４００の底部は同じ平面にある。図２は、マイクロフォン・サウンドボックス一体型装置の組立図である。プラスチックリング７００及びシリコンリング６００はねじ山又はねじによってスピーカー５００の底部に装着されて、サウンドチャンバー４００を密封する。トランペット型メッシュ８００は外界塵埃を阻み、スピーカー５００からの音声を通らせる。シリコンリング６００もシリコンのような硬度が低い可撓性材料を採用し、もちろんゴム、ＴＰＵ又はソフトプラスチックなどの他の可撓性材料を採用することもでき、従ってこの部分がデスクトップ又は地面などのような固体構造部品と接触する時にサウンドチャンバー４００によって生成される音声振動を低減することができる。
【手続補正９】
【補正対象書類名】明細書
【補正対象項目名】００２４
【補正方法】変更
【補正の内容】
【００２４】
可撓性材料接続部１００をマイクロフォンの底部とサウンドチャンバー４００の頂部との間に固定接続するとともに、ＰＣＢパネル３００の底部とサウンドチャンバー４００の頂部の間にギャップを残しておく。可撓性材料接続部１００は音声の振動を効果的に低減することができる。ＰＣＢパネル３００とサウンドチャンバー４００は接触しなく、両者の間にギャップを残しておくので、サウンドボックスによって生成される音声振動が上部へ伝送されることを免れることができる。ＰＣＢパネル３００の底部とサウンドチャンバー４００の頂部との間にギャップを残しておくとともに、サウンドチャンバー４００の頂部は可撓性材料接続部１００によってマイクロフォンの底部に固定接続されるので、人が大きい声で歌うときにサウンドボックスからマイクロフォンに伝達される振動を効果的に除去することができ、サウンドボックスによって生成される音声振動は固体構造部品によってマイクロフォンのピックアップ（ｐｉｃｋｕｐ）に伝達されなく、共鳴音を効果的に抑制することができる。
【手続補正１０】
【補正対象書類名】明細書
【補正対象項目名】００２６
【補正方法】変更
【補正の内容】
【００２６】
また、可撓性材料接続部１００の側壁の第一開口に第一ポート３０１（充電/オーディオ入力/オーディオ出力ポートであり、即ち図３に示されたＭＩＣＲＯ  ＵＳＢポートである）を係合することにより、マイクロフォンのバッテリー及びブルートゥースモジュールなどの電力供給を必要とするモジュールに対して電力を供給する一方、携帯電話などのような外部装置に接続されて音楽を放送することができる。